(57)【要約】【課題】整流素子の入力端子の回路基板での沿面距離を確保するとともに、回路部品のスペースの確保を図った電気装置および電球形蛍光ランプを提供する。【解決手段】点灯回路５は、回路基板１０に面実装された整流素子１１を含む点灯回路部品を有してなり、整流素子１１は、ダイオードブリッジが収容された略矩形平板状の基体１６、この基体１６の一方の端部１６ａ側から基体１６の幅Ｗ１以上の離間距離Ｗ２を有して導出された一対の入力端子１７ａ，１７ｂおよびこの基体１６の他方の端部１６ｂ側から導出された一対の出力端子１８ａ，１８ｂを有するように構成され、入力端子１７ａ，１７ｂがリード線２０ａ，２０ｂを介して口金３に電気的に接続されている。【選択図】図２
2005294064.tif 000002
【特許請求の範囲】
【請求項１】
全波整流用のダイオードブリッジが収容された略矩形平板状の基体、この基体の一方の端部側から基体の幅以上の離間距離を有してそれぞれ導出された一対の入力端子およびこの基体の他方の端部側から導出された一対の出力端子を有する実装可能な整流素子と；
入力端子および出力端子がそれぞれ接続されて整流素子が実装された回路基板と；
この回路基板に実装され、整流素子の出力が供給される電気回路部品と；
を具備していることを特徴とする電気装置。
【請求項２】
放電媒体が封入されているとともに、内面に蛍光体層が形成され、両端に一対の電極が封装された屈曲形のバルブを有する蛍光ランプと；
一端側に口金を有し、他端側に蛍光ランプを取着しているカバーと；
カバー内に配設された回路基板およびこの回路基板に面実装された整流素子を含む点灯回路部品を有してなり、前記整流素子は、全波整流用のダイオードブリッジが収容された略矩形平板状の基体、この基体の一方の端部側から基体の幅以上の離間距離を有してそれぞれ導出された一対の入力端子およびこの基体の他方の端部側から導出された一対の出力端子を有するように構成され、入力端子がリード線を介して口金に電気的に接続されている点灯回路と；
を具備していることを特徴とする電球形蛍光ランプ。
【発明の詳細な説明】
【技術分野】
【０００１】
本発明は、回路基板にダイオードブリッジからなる整流素子を実装している電気装置および電球形蛍光ランプに関する。
【背景技術】
【０００２】
電球形蛍光ランプは、カバーの一端側に電球用ソケットに装着可能な口金を有し、他端側に蛍光ランプを取着したものであり、カバー内に蛍光ランプを点灯させる点灯回路を具備している。この点灯回路は、一般に、回路基板に実装された整流素子、コンデンサやトランジスタなどの電子部品からなる高周波点灯装置として構成されており、リード線により口金および蛍光ランプに電気的に接続されている（例えば、特許文献１参照。）。
【０００３】
そして、整流素子は、口金からリード線等を介して入力される交流電圧（例えば１００Ｖ）を直流電圧に変換して、高周波点灯装置に出力している。この整流素子は、通常、ダイオードブリッジからなり、一対の入力端子および一対の出力端子がそれぞれ整流素子の基体から異なる方向に導出されて回路基板に実装されている。
【０００４】
近年、電球形蛍光ランプは小形化され、また、蛍光ランプの高出力化に伴い、回路基板に実装される点灯回路部品が密集し、実装スペースの確保が困難になってきている。特に、蛍光ランプが空間に露出するタイプの電球形蛍光ランプにおいては、グローブ付きの電球形蛍光ランプよりも整流素子の入力端子間の沿面距離（離間距離）を大きくすることが要求されているので、点灯回路部品の実装スペースの確保がますます困難になっている。
【特許文献１】特開平１０−２７５５９２号公報（第８頁、第８図）
【発明の開示】
【発明が解決しようとする課題】
【０００５】
電球形蛍光ランプの小形化に伴って回路基板を小さくするとき、整流素子を小さくすることが要求される。しかし、整流素子を小形化すると、入力端子の沿面距離を確保することができないという問題がある。
【０００６】
本発明は、整流素子の入力端子の回路基板での沿面距離を確保するとともに、回路部品のスペースの確保を図った電気装置および電球形蛍光ランプを提供することを目的とする。
【課題を解決するための手段】
【０００７】
請求項１に記載の電気装置の発明は、全波整流用のダイオードブリッジが収容された略矩形平板状の基体、この基体の一方の端部側から基体の幅以上の離間距離を有してそれぞれ導出された一対の入力端子およびこの基体の他方の端部側から導出された一対の出力端子を有する実装可能な整流素子と；入力端子および出力端子がそれぞれ接続されて整流素子が実装された回路基板と；この回路基板に実装され、整流素子の出力が供給される電気回路部品と；を具備していることを特徴とする。
【０００８】
本発明および以下の発明において、特に言及しない限り、各構成は以下による。
【０００９】
基体は、ダイオードブリッジが収容されている本体を意味する。したがって、基体の幅は、当該本体の幅をいう。
【００１０】
そして、整流素子の入力端子が基体の幅以上の離間距離を有するには、入力端子は、基体の対向する両側部からそれぞれ導出される。
【００１１】
本発明によれば、回路基板が小さくなり、整流素子が小形化されても、入力端子が基体の一方の端部側から基体の幅以上の離間距離を有してそれぞれ導出されているので、入力端子同士の沿面距離が確保される。したがって、回路基板が小形化されるので、電気装置が小形化される。
【００１２】
請求項２に記載の電球形蛍光ランプの発明は、放電媒体が封入されているとともに、内面に蛍光体層が形成され、両端に一対の電極が封装された屈曲形のバルブを有する蛍光ランプと；一端側に口金を有し、他端側に蛍光ランプを取着しているカバーと；カバー内に配設された回路基板およびこの回路基板に面実装された整流素子を含む点灯回路部品を有してなり、前記整流素子は、全波整流用のダイオードブリッジが収容された略矩形平板状の基体、この基体の一方の端部側から基体の幅以上の離間距離を有してそれぞれ導出された一対の入力端子およびこの基体の他方の端部側から導出された一対の出力端子を有するように構成され、入力端子がリード線を介して口金に電気的に接続されている点灯回路と；を具備していることを特徴とする。
【００１３】
屈曲形バルブは、直管状のバルブを加熱、軟化させて折曲したものの他、管状のバルブ同士を端部で継いで連通させた、いわゆるブリッジ形あるいはモールド形で形成したバルブも包含される。
【００１４】
本発明によれば、整流素子の入力端子が基体の幅以上の離間距離を有して基体の一方の端部側から導出され、出力端子が基体の他方の端部側から導出しているので、基体が小さくても、回路基板での入力端子同士の沿面距離が確保され、かつ入力端子と出力端子の絶縁距離が確保されるとともに、他の回路部品を実装するスペースが確保される。したがって、所定の大きさを有する回路基板に点灯回路の回路部品が実装されるので、電球形蛍光ランプが小形化される。
【発明の効果】
【００１５】
請求項１の発明によれば、整流素子の入力端子が基体の幅以上の離間距離を有して基体の一方の端部側から導出され、出力端子が基体の他方の端部側から導出しているので、基体が小さくても、回路基板での入力端子同士の沿面距離を確保することができ、入力端子と出力端子の絶縁距離を確保することができるとともに、他の回路部品を実装するスペースを確保することができる。この結果、回路基板を小形化することができ、電気装置を小形化することができる。
【００１６】
請求項２の発明によれば、整流素子の入力端子が基体の端部側の幅以上の離間距離を有して基体の一方の端部側から導出され、出力端子が基体の他方の端部側から導出しているので、基体を大きくすることなく、所定の大きさの回路基板での入力端子同士の沿面距離が確保され、入力端子と出力端子の絶縁距離が確保されるとともに、他の回路部品を実装するスペースが確保されるので、電球形蛍光ランプを小形化することができる。
【発明を実施するための最良の形態】
【００１７】
以下、本発明の一実施の形態について、図面を参照して説明する。まず、本発明の第１の実施形態について説明する。
【００１８】
図１〜図４は、本発明の第１の実施形態を示し、図１は電球形蛍光ランプの一部切り欠き概略正面図、図２は回路基板に面実装された整流素子を示し、（ａ）は概略上面図、（ｂ）は概略側面図、図３は電球形蛍光ランプの回路図、図４は他の整流素子を示す上面図である。
【００１９】
図１において、電球形蛍光ランプ１は、蛍光ランプ２、一端側４ａに口金３を有するカバー４、カバー４に収容されている点灯回路５を有して構成されている。
【００２０】
蛍光ランプ２は、Ｕ字形に屈曲された３本のバルブ２ａ，２ｂ，２ｃを図示しない継ぎ部によって連結し、一つの放電路６が形成されている。そして、連結されたバルブ２ａ，２ｂ，２ｃは、内面に可視光を発光する蛍光体層７が形成されている。また、連結されたバルブ２ａ，２ｂ，２ｃの両端に、すなわちバルブ２ａおよびバルブ２ｃの一端に、一対の電極としての一対のフィラメント電極８，８が封装され、内部に水銀および希ガスとしてのアルゴンガスなどの放電媒体が封入されている。また、バルブ２ａの他端に図示しない細管が封着されており、細管内に例えばビスマス（Ｂｉ）−インジウム（Ｉｎ）アマルガムが配設されている。
【００２１】
蛍光ランプ２の全ての端部、すなわちバルブ２ａ，２ｂ，２ｃのそれぞれの一端および他端は、カバー４の他端側４ｂの開口部に嵌合された保持体９に支持されている。すなわち、バルブ２ａ，２ｂ，２ｃのそれぞれの一端および他端は、保持体９に設けられた挿通孔に挿通された後、挿通孔の周囲に熱硬化性接着剤が塗布され、熱硬化性接着剤の固化によって固定されている。そして、保持体９は、耐熱性を有するポリブチレンテレフタレート（ＰＢＴ）樹脂によって形成されている。
【００２２】
カバー４は、耐熱性を有するＰＢＴ樹脂によって形成され、一端側４ａに口金３を有し、他端側４ｂに保持体９を嵌合して固定している。すなわち、カバー４は、他端側４ｂに蛍光ランプ２を取着している。
【００２３】
また、カバー４には、点灯回路５が収容されている。点灯回路５は、ガラスエポキシ材からなる回路基板１０およびこの回路基板１０に実装された整流素子１１を含む点灯回路部品からなっている。そして、回路基板１０は、カバー４の内壁に沿って保持体９に一体的に設けられた円筒状体１２上に配設され、弾性変形可能な腕部１３，１３により挟持されて固定されている。そして、回路基板１０には、スイッチ素子としての電界効果トランジスタＦＥＴ１，ＦＥＴ２、整流素子１１、電解コンデンサ（平滑用コンデンサ）１４、抵抗１５や図示しないインダクタなどの点灯回路部品が実装されている。
【００２４】
整流素子１１は、図２に示すように、ダイオードブリッジ（図示しない。）が収納された略矩形平板状の基体１６、この基体１６から導出された一対の入力端子１７ａ，１７ｂおよび一対の出力端子１８ａ，１８ｂを有している。そして、一対の入力端子１７ａ，１７ｂは、それぞれ基体１６の一方の端部１６ａ側の側部１９ａ，１９ｂ側から導出され、さらに、側部１９ｃの方向に屈曲されている。そして、一対の入力端子１７ａ，１７ｂは、互いに基体１６の端部１６ａ側の幅Ｗ１以上の離間距離Ｗ２を有するように形成されている。そして、一対の出力端子１８ａ，１８ｂは、基体１６の他方の端部１６ｂ側の側部１９ｄから導出されている。
【００２５】
整流素子１１は、図２（ｂ）に示すように、入力端子１７ａ，１７ｂおよび出力端子１８ａ，１８ｂが回路基板１０の表面（一方の面）１０ａに接続されて回路基板１０に面実装されている。そして、入力端子１８ａ，１８ａは、回路基板１０の裏面（他方の面）１０ｂに配設されたリード線２０ａ，２０ｂに図示しない回路パターンおよびノイズフィルタ回路を介して接続されている。また、出力端子１８ａ，１８ｂは、回路基板１０の裏面１０ｂに実装された平滑用コンデンサ（電解コンデンサ）１４のピン１４ａ，１４ｂと、回路基板１０の表面１０ａにおいて、それぞれ図示しない回路パターンにより接続されている。
【００２６】
そして、電球形蛍光ランプ１のように、蛍光ランプ２が露出しているものに対して、回路基板１０に実装される整流素子１１の入力端子１７ａ，１７ｂ同士の沿面距離（離間距離）は、例えば２．５ｍｍとする設計基準がある（例えば、電気用品安全法、別表第八）。すなわち、空気中の塵埃や水蒸気などにより、交番電圧が印加される入力端子１７ａ，１７ｂ間にトラッキングや沿面放電が発生しないように、前記沿面距離に対する設計基準が設けられている。
【００２７】
ここで、整流素子１１の入力端子１７ａ，１７ｂは、それぞれ基体１６の一方の端部１６ａ側の側部１９ａ，１９ｂ側から導出され、基体１６の端部１６ａ側の幅Ｗ１以上の離間距離Ｗ２を有するように設けられているので、基体１６が小さくても、前記沿面距離（離間距離）が確保される。また、出力端子１８ａ，１８ｂは、基体１６の他方の端部１６ｂ側の側部１９ｄから導出されているので、入力端子１７ａ，１７ｂとの離間距離が大きくなっており、入力端子１７ａ，１７ｂおよび出力端子１８ａ，１８ｂ間の絶縁距離が確保される。
【００２８】
そして、前記設計基準を確保するために、整流素子１１の基体１６を小さくできるとともに、回路基板１０に対する基体１６の占有率が大きくならず、回路基板１０に他の回路部品を実装しやすくなる。また、整流素子１１の出力端子１８ａ，１８ｂは、基体１６の他方の端部１６ｂ側の側部１９ｄから導出されているので、回路基板１０の出力端子１８ａ，１８ｂの周囲のスペースが大きくなり、図２（ａ）に示すように、例えば電解コンデンサ（平滑用コンデンサ）１４を実装することができる。このように整流素子１１の基体１６が小さくても、所定の大きさの回路基板１０に点灯回路５の回路部品を実装することが可能となり、電球形蛍光ランプ１の小形化が可能となっている。
【００２９】
そして、図１に示すように、リード線２０ａは、ヒューズＦ１を介して口金３の先端部３ａに溶接等により接続され、リード線２０ｂは、口金３の螺合部３ｂに電気的に接続されている。
【００３０】
図３は、一例としての点灯回路５の回路図である。点灯回路５は、ノイズフィルタ回路２１、直流電圧発生回路２２、インバータ回路２３およびＬＣ共振回路２４を有して構成されている。インバータ回路２３は、直流電圧発生回路２２の出力間（平滑用コンデンサ１４の両端）に直列的に接続されたスイッチ素子としての電界効果トランジスタＦＥＴ１，ＦＥＴ２が起動回路Ｒ１により起動され、駆動回路２５により交互にスイッチング動作するように構成されている。点灯回路５は、直流電圧発生回路２２の平滑用コンデンサ（電解コンデンサ）１４の両端に発生した直流電圧がインバータ回路２３により高周波電圧に変換され、この高周波電圧に応じてＬＣ共振回路２４のインダクタＬ１および共振用コンデンサ２６が共振する。そして、共振電圧が蛍光ランプ２のフィラメント電極８，８を予熱するとともに、フィラメント電極８，８間に印加され、蛍光ランプ２は点灯する。
【００３１】
そして、点灯回路５は、直流電圧発生回路２２の入力側にノイズフィルタ回路２１を設けており、このノイズフィルタ回路２１は、ヒューズＦ１を介して口金３の先端部３ａおよび螺合部３ｂ間にそれぞれ接続されるサージアブソーバＳＡおよびコンデンサ２７を有して構成されている。ノイズフィルタ回路２１は、商用交流電源Ｖｓから点灯回路５内に入力するサージ電圧を吸収するとともに、直流電圧発生回路２２から商用交流電源Ｖｓ側に伝播する高周波電圧を除去する。
【００３２】
図１において、回路基板１０に取り付けられた点灯回路５のラッピング２８，２８に蛍光ランプ２から導出されたリード線２９，２９が電気的に接続されている。このリード線２９，２９は、蛍光ランプ２のフィラメント電極８，８に電気的に接続されている。
【００３３】
上述したように、整流素子１１の入力端子１７ａ，１７ｂ同士の沿面距離（離間距離）に対する設計基準、例えば２．５ｍｍが容易に確保されるとともに、基体が小さくても、所定の大きさの回路基板１０に図３に示す他の回路部品を実装しやすくなっている。したがって、回路基板１０に点灯回路５の回路部品が実装され、電球形蛍光ランプ１が小形化される。
【００３４】
そして、電球形蛍光ランプ１は、点灯回路５が口金３を介して給電されると、回路基板１０に実装された電界効果トランジスタＦＥＴ１，ＦＥＴ２がスイッチング動作をすることにより高周波電圧を出力し、高周波電圧が蛍光ランプ２のフィラメント電極８，８間に印加される。そして、フィラメント電極８，８間の放電路６に放電が形成されて蛍光ランプ２が点灯し、水銀蒸気圧が上昇する。そして、水銀が発する紫外線により、蛍光体膜７より可視光が放射され、バルブ２ａ，２ｂ，２ｃから外部に放射される。
【００３５】
なお、図４は、別の整流素子３０を示したものである。整流素子３０は、基体本体３１および付属部３２，３２からなり、基体本体３１にダイオードブリッジ（図示しない。）が収納され、基体本体３１の両側部３１ａ，３１ｂに入力端子３３，３３を覆う付属部３２，３２がそれぞれ設けられている。入力端子３３，３３は、基体本体３１の一方の端部３１ａの両側部３１ａ，３１ｂからそれぞれ導出され、付属部３２，３２内で屈曲され、付属部３２，３２の側部３２ａ，３２ａから導出されている。また、出力端子３４，３４は、基体本体３１の他方の端部３１ｂの側部３１ｃから導出されている。そして、入力端子３３，３３同士の沿面距離Ｗ３が基体本体３１の幅Ｗ４以上となるように、基体本体３１から導出されている。
【００３６】
次に、本発明の第２の実施形態について述べる。
【００３７】
図５は、本発明の第２の実施形態を示す電気装置の回路図である。なお、図３と同一部分には同一符号を付して説明は省略する。
【００３８】
図５に示す電気装置３５は、制御電源などに使用される定電圧装置であり、ノイズフィルタ回路３６、直流電圧発生回路２２、インバータ回路３７、整流平滑回路３８および出力電圧検出回路３９などを有して構成されている。
【００３９】
直流電圧発生回路２２は、整流素子１１および電気回路部品としての平滑用コンデンサ（電解コンデンサ）１４からなり、商用交流電源Ｖｓの交流電圧を整流、平滑して直流電圧を発生する。そして、インバータ回路３７は、平滑用コンデンサ１４の両端に接続されたそれぞれ電気回路部品としてのインバータトランスＴ１およびスイッチ素子としてのバイポーラトランジスタＴｒ１の直列回路、バイポーラトランジスタＴｒ１のベースに接続された制御回路４０を有してなり、制御回路４０の制御によりバイポーラトランジスタＴｒ１がスイッチング動作することにより、直流電圧発生回路２２から出力された直流電圧をチョッピングし、インバータトランスＴ１の二次巻線Ｔ１ｂに高周波電圧を出力する。
【００４０】
そして、整流平滑回路３８は、ダイオードＤ１および平滑用コンデンサＣ１からなり、インバータ回路３７から出力された高周波電圧を整流平滑して直流電圧を発生させる。この直流電圧は、抵抗Ｒ２および抵抗Ｒ３の直列回路からなる出力電圧検出回路３９により検出されて、制御回路４０に帰還される。そして、制御回路４０は、整流平滑回路３８に発生される直流電圧が一定となるように、バイポーラトランジスタＴｒ１のスイッチング周波数を変化させる。こうして、電気装置３５は、一定の直流電圧を出力するように構成されている。
【００４１】
そして、電気装置３５は、直流電圧発生回路２２の入力側にノイズフィルタ回路３６を設けており、このノイズフィルタ回路３６は、商用交流電源Ｖｓに接続されるコンデンサ２７、コンデンサ２７および整流素子１１の入力端子１７ａに介挿されたインダクタＬ２を有して構成されている。そして、コンデンサ２７にインダクタＬ２を介して整流素子１１の入力端子１７ａ，１７ｂが電気的に並列接続されている。ノイズフィルタ回路３６は、直流電圧発生回路２２から商用交流電源Ｖｓ側に伝播する高周波電圧を除去する。
【００４２】
そして、電気装置３５の上記電気回路部品は、回路基板に実装される。そして、電気装置３５は、整流素子１１の基体１６が小さいので、回路基板に対する基体１６の占有率が大きくならず、回路基板に図５に示す他の回路部品を実装するスペースが確保されている。これにより、回路基板が小形化され、電気装置３５が小形化される。
【図面の簡単な説明】
【００４３】
【図１】本発明の第１の実施形態を示す電球形蛍光ランプの一部切り欠き概略正面図。
【図２】同じく、回路基板に面実装された整流素子を示し、（ａ）は概略正面図、（ｂ）は概略側面図。
【図３】同じく、電球形蛍光ランプの回路図。
【図４】同じく、他の整流素子を示す概略上面図。
【図５】本発明の第２の実施形態を示す電気装置の回路図。
【符号の説明】
【００４４】
１…電球形蛍光ランプ
２…蛍光ランプ
４…カバー
５…点灯回路
１０…回路基板
１１，３０…整流素子
１４…電気回路部品としての電解コンデンサ
３５…電気装置
【図１】
2005294064.tif 000003
【図２】
2005294064.tif 000004
【図３】
2005294064.tif 000005
【図４】
2005294064.tif 000006
【図５】
2005294064.tif 000007